【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
液体収容体ユニットであって、
液体注入口に着脱可能に装着されることで前記液体注入口を塞ぐための栓部材と、
前記液体注入口を有する液体収容体と、
前記液体収容体を覆う外装部材と、を備え、
前記栓部材は、
前記液体注入口を塞ぐシール部であって、少なくとも一部が前記液体注入口の内部に挿入されるシール部と、
前記シール部の周囲の少なくとも一部に配置されたカバー部と、を備える液体収容体ユニット。
【請求項２】
請求項１に記載の液体収容体ユニットであって、
前記カバー部は、前記シール部の周囲の全周を覆うように配置されている、液体収容体ユニット。
【請求項３】
請求項１又は請求項２に記載の液体収容体ユニットであって、
前記カバー部は、前記シール部のうち前記栓部材の前記液体注入口への装着方向とは反対側の端部に接続され、前記装着方向に交差する方向に沿って延びる把持部を有する、液体収容体ユニット。
【請求項４】
請求項１又は請求項２に記載の液体収容体ユニットであって、
前記カバー部は、
前記シール部の周囲の少なくとも一部に配置されたカバー本体と、
前記カバー本体のうち前記栓部材の前記液体注入口への装着方向とは反対側の端部に接続された柱状の把持部と、を有する、液体収容体ユニット。
【請求項５】
請求項３または請求項４に記載の液体収容体ユニットであって、
前記把持部は、
前記装着方向とは反対側の把持部端部に設けられた凹部と、
前記凹部内に配置され、前記液体収容体に収容された液体の種類を識別するための識別部と、を有する、液体収容体ユニット。
【請求項６】
請求項１から請求項５までのいずれか一項に記載の液体収容体ユニットであって、
前記シール部と前記カバー部とは硬度の異なる部材によって形成されている、液体収容体ユニット。
【請求項７】
請求項１から請求項６までのいずれか一項に記載の液体収容体ユニットであって、さらに、
前記カバー部に接続され、前記液体注入口の周辺に設けられた取付部に取付可能な被取付部を有する、液体収容体ユニット。
【請求項８】
請求項１から請求項７までのいずれか一項に記載の液体収容体ユニットであって、さらに、
前記栓部材を配置可能に構成された栓部材配置部を有する、液体収容体ユニット。
【請求項９】
請求項８に記載の液体収容体ユニットであって、さらに、
前記カバー部に接続され、前記液体注入口の周辺に設けられた取付部に取付可能な被取付部を有し、
前記栓部材と前記液体収容体と前記取付部と前記栓部材配置部とは、それぞれ２つ設けられた場合であって、且つ、
一方を第１の栓部材、第１の液体収容体、第１の取付部、及び、第１の栓部材配置部とし、他方を第２の栓部材、第２の液体収容体、第２の取付部、及び、第２の栓部材配置部とした場合に、
前記第１の栓部材の前記被取付部は、前記第１の栓部材の前記被取付部が前記第１の取付部に取り付けられた状態において、前記第１の栓部材の前記シール部が前記第２の液体収容体の前記液体注入口に挿入できない長さであって前記第１の栓部材が前記第２の栓部材配置部に配置できない長さを有する、液体収容体ユニット。
【請求項１０】
請求項９に記載の液体収容体ユニットであって、
所定方向について、前記第１と前記第２の取付部は、前記第１と前記第２の栓部材配置部とを挟むように配置されると共に、前記第１の取付部は前記第１の栓部材配置部側に配置され、前記第２の取付部は前記第２の栓部材配置部側に配置されている、液体収容体ユニット。
【請求項１１】
請求項８に記載の液体収容体ユニットであって、
前記栓部材配置部は、前記栓部材の前記シール部を装着可能なシール部装着部を有し、
前記シール部を前記シール部装着部に装着したときに、前記栓部材配置部の底面と前記カバー部とは間隔を開けて配置されている、液体収容体ユニット。
【請求項１２】
請求項１１に記載の液体収容体ユニットであって、
前記シール部は、前記栓部材の前記液体注入口への装着方向側が開口する凹部を有し、
前記シール部装着部は、前記底面から突出し、前記凹部に挿入される突起である、液体収容体ユニット。
【請求項１３】
請求項８に記載の液体収容体ユニットであって、
前記栓部材配置部は、前記カバー部が載置される第１面と、前記シール部を受け入れる凹形状の受入部であって底面が前記第１面よりも低い位置に配置された受入部とを有する、液体収容体ユニット。
【請求項１４】
液体噴射部に供給するための液体を収容可能な液体収容体と、前記液体収容体を覆う外装部材と、を備えた液体収容体ユニットであって、
前記液体収容体に設けられ、前記液体収容体の内部に前記液体を注入するための液体注入口と、
前記液体注入口を塞ぐための栓部材と、
前記液体収容体内の液面を外部から視認可能な視認部と、
前記外装部材に設けられ、前記栓部材を取り付け可能な取付部と、を備え、
前記取付部は、前記液体注入口を挟んで前記視認部とは反対側に位置し、
前記栓部材は、前記取付部に取り付けられるための被取付部を有し、
前記被取付部は、前記取付部に取り付けられた状態において、前記取付部から前記視認部までの距離よりも短い長さを有する、液体収容体ユニット。
【請求項１５】
液体注入口を有する液体収容体であって、
前記液体注入口に着脱可能に装着されることで前記液体注入口を塞ぐための栓部材を備え、
前記栓部材は、
前記液体注入口の内部に挿入されるシール部と、
前記シール部に接続され、把持部を備えるカバー部と、を備え、
前記カバー部は、軸線と直交する断面形状が円を成す部分を有し、
前記把持部は、前記カバー部の前記円の径方向に実質的に平行な表面を有する、液体収容体。
【請求項１６】
請求項１５に記載の液体収容体であって、
前記栓部材は、さらに、前記カバー部から突出する被取付部を有する、液体収容体。
【手続補正２】
【補正対象書類名】明細書
【補正対象項目名】発明の名称
【補正方法】変更
【補正の内容】
【発明の名称】液体収容体ユニット、及び、液体収容体
【手続補正３】
【補正対象書類名】明細書
【補正対象項目名】０００７
【補正方法】変更
【補正の内容】
【０００７】
本発明は、上述の課題の少なくとも一部を解決するためになされたものであり、以下の形態として実現することが可能である。
［形態１］
液体収容体ユニットであって、
液体注入口に着脱可能に装着されることで前記液体注入口を塞ぐための栓部材と、
前記液体注入口を有する液体収容体と、
前記液体収容体を覆う外装部材と、を備え、
前記栓部材は、
前記液体注入口を塞ぐシール部であって、少なくとも一部が前記液体注入口の内部に挿入されるシール部と、
前記シール部の周囲の少なくとも一部に配置されたカバー部と、を備える液体収容体ユニット。
形態１によれば、液体注入口の内部からシール部を引き抜いて液体注入口から栓部材を取り外したときに、カバー部が障壁となることでシール部に付着している液体がカバー部よりも外側の周囲に飛散する可能性を低減できる。
［形態２］
液体注入口を有する液体収容体であって、
前記液体注入口に着脱可能に装着されることで前記液体注入口を塞ぐための栓部材を備え、
前記栓部材は、
前記液体注入口の内部に挿入されるシール部と、
前記シール部に接続され、把持部を備えるカバー部と、を備え、
前記カバー部は、軸線と直交する断面形状が円を成す部分を有し、
前記把持部は、前記カバー部の前記円の径方向に実質的に平行な表面を有する、液体収容体。
形態２によれば、液体注入口の内部からシール部を引き抜いて液体注入口から栓部材を取り外したときに、カバー部が障壁となることでシール部に付着している液体がカバー部よりも外側の周囲に飛散する可能性を低減できる。